(57)【要約】  【課題】  脚体をスライドさせることにより、該脚体の位置を調整することができ、脚体の下端と筺体の底面との間の距離を調整することができる電気機器を提供することにある。  【解決手段】  脚体４が取着される被取着部３１をその底面３ａに有する筺体３の被取着部３１に、底面３ａに対して傾斜する傾斜面３１ａを設け、該傾斜面３１ａに、その長手方向が前記傾斜面３１ａの傾斜方向となる長孔６と、長孔６の幅方向へ離隔した位置に設けられ、長孔６の幅より大径の貫通孔７と、該貫通孔７及び長孔６を連通させる連通孔８とを設け、ブラインドリベット５を貫通孔７に挿入し、該貫通孔７から連通孔８を経て長孔６へスライドさせることにより、脚体４を傾斜面３１ａに沿ってスライド可能に取着することができるようにした。【選択図】        図２
2006156490.tif 000002
【特許請求の範囲】
【請求項１】
電気部品が収容され、その底面に脚体が取着される被取着部を有する筺体とを備えた電気機器において、前記被取着部は、前記底面に対して傾斜する傾斜面を有しており、該傾斜面に、その長手方向が前記傾斜面の傾斜方向となる長孔を備えることを特徴とする電気機器。
【請求項２】
前記傾斜面は、前記長孔の幅方向へ離隔した位置に設けられ、前記長孔の幅より大径の貫通孔と、該貫通孔及び前記長孔を連通させる連通孔とを設けてある請求項１記載の電気機器。
【請求項３】
ピン及び該ピンの嵌入によりその一部が拡大する円筒体を有するブラインドリベットと、該ブラインドリベットが挿通される挿通孔を有する脚体とを備えており、前記貫通孔は前記ブラインドリベットの拡大する部分より大径に形成されている請求項２記載の電気機器。
【請求項４】
前記被取着部は複数箇所に設けられており、夫々の被取着部が前記傾斜面を有する請求項１乃至３のいずれか一つに記載の電気機器。
【発明の詳細な説明】
【技術分野】
【０００１】
本発明は電気部品が収容される筺体の底面に脚体が取着される電気機器に関する。
【背景技術】
【０００２】
筺体内に電気部品が収容されたテレビ等の電気機器は、板金製の筺体の底面に合成樹脂又はゴム製の複数の脚体を設け、該脚体を載置台の上面に当接させることにより、電気機器を載置するように構成されている。このように脚体を備える電気機器の筺体の底面は載置台の上面とほぼ平行になっており、この底面の複数の箇所に穿設されたねじ孔に緊締される雄ねじにより脚体が取着されている（例えば、特許文献１参照。）。
【０００３】
また、底面に貫通孔を有する筺体の前記貫通孔に嵌入されるブラインドリベットにより脚体を取着するように構成された電気機器も知られている。
【特許文献１】実開平３−２４７８０号公報
【発明の開示】
【発明が解決しようとする課題】
【０００４】
ところが、電気機器の筺体は、加工時の寸法誤差、電気部品等の組込による歪等により底面が若干変形することがあるのに対し、脚体の長さはほぼ等しいため、底面が変形している筺体の底面に脚体が取着されている電気機器が載置台に載置されると、各脚体の下端と筺体の底面との間の距離が若干異なることになり、電気機器が載置台上でガタつくことになると言う問題があった。また、筺体の底面が変形していない場合においても、載置台の上面が歪んでいるとき、電気機器が載置台上でガタつくことになると言う問題があった。
【０００５】
また、脚体は筺体と異なる材料で形成されているため、解体して電気機器がリサイクルされる場合、脚体を筺体から取外す必要がある。しかしながら、脚体は雄ねじの緊締により取着されるか、又は、一つの貫通孔に嵌入されるブラインドリベットにより取着するように構成されているため、雄ねじを取外して脚体を取外す作業が行い難いし、また、ブラインドリベットを抜取って脚体を筺体から取外す作業が行い難いのであり、電気機器の解体作業性が悪いと言う問題があった。
【０００６】
本発明は斯かる事情に鑑みてなされたものであり、主たる目的は脚体が取着される被取着部を、筺体の底面に対して傾斜する傾斜面を有する構成とし、該傾斜面に、その長手方向が前記傾斜面の傾斜方向となる長孔を設けることにより、脚体をスライドさせることにより、該脚体の位置を調整することができ、脚体の下端と筺体の底面との間の距離を調整することができる電気機器を提供することにある。
【０００７】
また、他の目的は、前記長孔の幅方向へ離隔した位置に設けられ、長孔の幅より大径の貫通孔と、該貫通孔及び長孔を連通させる連通孔とを傾斜面に設けることにより、ブラインドリベット等の軸部材による脚体の取着／取外しを簡易に行い得る電気機器を提供することにある。
【０００８】
また、他の目的は、ブラインドリベットと、該ブラインドリベットが挿通される挿通孔を有する脚体とを備え、傾斜面の貫通孔をブラインドリベットの拡大する部分より大径に形成することにより、ブラインドリベットによる脚体の取着／取外しを簡易にでき、解体作業性を向上できる電気機器を提供することにある。
【０００９】
さらに、他の目的は、被取着部を複数箇所に設け、夫々の被取着部が傾斜面を有する構成とすることにより、脚体の下端と筺体の底面との間の距離をより一層容易に調整することができる電気機器を提供することにある。
【課題を解決するための手段】
【００１０】
本発明に係る電気機器は、電気部品が収容され、その底面に脚体が取着される被取着部を有する筺体とを備えた電気機器において、前記被取着部は、前記底面に対して傾斜する傾斜面を有しており、該傾斜面に、その長手方向が前記傾斜面の傾斜方向となる長孔を備えることを特徴とする。
【００１１】
この発明にあっては、脚体を長孔に沿って位置調整可能に取着することができ、しかも、脚体は傾斜面に取着されるため、脚体を傾斜面に沿ってスライドさせることにより、該脚体の位置を調整することができ、脚体の下端と筺体の底面との間の距離を調整することができる。
【００１２】
また、本発明に係る電気機器は、前記傾斜面は、前記長孔の幅方向へ離隔した位置に設けられ、前記長孔の幅より大径の貫通孔と、該貫通孔及び前記長孔を連通させる連通孔とを設けてあることを特徴とする。
【００１３】
この発明にあっては、ブラインドリベット等の軸部材を用いて脚体を取着する場合においても、軸部材を貫通孔に挿通し、該軸部材を連通孔から長孔へ移動させることにより、軸部材の軸長方向への移動を阻止することが可能であるため、軸部材による脚体の取着／取外しを簡易に行い得る。
【００１４】
さらに、本発明に係る電気機器は、ピン及び該ピンの嵌入によりその一部が拡大する円筒体を有するブラインドリベットと、該ブラインドリベットが挿通される挿通孔を有する脚体とを備えており、前記貫通孔は前記ブラインドリベットの拡大する部分より大径に形成されていることを特徴とする。
【００１５】
この発明にあっては、円筒体にピンが嵌入され、円筒体の一部が予め拡径されたブラインドリベットを貫通孔に挿通することができるため、ブラインドリベットによる脚体の取着をより一層簡易にできる。また、ピンが円筒体に嵌入されている状態でブラインドリベットを貫通孔から抜出すことができるため、ブラインドリベットにより取着されている脚体の取外しを簡易にでき、従って、電気機器がリサイクルされる場合、電気機器の解体作業性を向上できる。
【００１６】
また、本発明に係る電気機器は、前記被取着部は複数箇所に設けられており、夫々の被取着部が前記傾斜面を有することを特徴とする。
【００１７】
この発明にあっては、複数箇所の被取着部に取着されている脚体を長孔に沿って位置調整することができるため、脚体の下端と筺体の底面との間の距離をより一層容易に調整することができる。
【発明の効果】
【００１８】
本発明によれば、長孔を有する傾斜面に取着される脚体を傾斜面に沿ってスライドさせることにより、該脚体の位置を調整することができるため、脚体の下端と筺体の底面との間の距離を調整することができ、電気機器の載置台上でのガタつきを容易になくすることができる。
【００１９】
また、本発明によれば、ブラインドリベット等の軸部材を貫通孔に挿通し、該軸部材を連通孔から長孔へ移動させることにより、脚体を取着することができ、しかも、傾斜面に沿って脚体の位置を調整することができ、電気機器の載置台上でのガタつきを容易になくすることができる。
【００２０】
また、本発明によれば、ブラインドリベットの拡大する部分を予め拡径させた状態でブラインドリベットを貫通孔に挿通し、脚体を取着することができるため、ブラインドリベットによる脚体の取着をより一層簡易にでき、しかも、ピンが円筒体に嵌入されている状態で脚体を取外すことができるため、電気機器がリサイクルされる場合の解体作業性を向上できる。
【００２１】
また、本発明によれば、複数箇所の被取着部に取着される脚体を傾斜面に沿って位置調整することができるため、電気機器の載置台上でのガタつきをより一層容易になくすることができる。
【発明を実施するための最良の形態】
【００２２】
以下本発明をその実施の形態を示す図面に基づいて詳述する。
実施の形態１
図１は本発明に係る電気機器の構成を示す模式的正面図、図２は筺体の底面側の構成を示す分解斜視図、図３は被取着部の構成を示す底面図、図４は被取着部の構成を示す斜視図、図５は図４のV −V 線の拡大断面図、図６の(a) は図４のVI−VI線の拡大断面図、図６の(b) ，(c) は脚体の下端と筺体の底面との間の距離を調整した状態を示す拡大断面図である。
【００２３】
図１の電気機器Ａは、給電部１と、該給電部１に接続された電気部品２と、該電気部品２が収容された板金製の筺体３と、該筺体３の底面３ａの複数箇所に取着される合成樹脂製の脚体４と、該脚体４を底面３ａに取着するブラインドリベット５とを備える。
【００２４】
筺体３は略直方体をなしており、筺体３の底面３ａの四隅部には脚体４が取着されるための被取着部３１が突設されている。この被取着部３１は、底面３ａに対して筺体３の一側となる側が下方へ傾斜する傾斜面３１ａを有する。従って、傾斜面３１ａは上方側から下方側にかけて底面３ａからの寸法h1，h2がh1＜h2となるように漸次長くなっている。
【００２５】
傾斜面３１ａには、その長手方向が傾斜面３１ａの傾斜方向となる長孔６と、該長孔６の幅方向へ離隔した位置に穿定され、長孔６の幅より大径の円形をなす貫通孔７と、該貫通孔７の一側及び長孔６の長手方向中央部を連通させる連通孔８とを設けてある。長孔６及び連通孔８の幅D1，D2は等しく形成されており、貫通孔７の直径D3は幅D1，D2よりも大径に形成されている。
【００２６】
脚体４はブラインドリベット５が挿通される挿通孔４ａと、該挿通孔４ａの一方の孔縁に臨む円形の凹所４ｂとを有する円錐台形をなしており、上下の厚さが等しくなっている。尚、脚体４は合成樹脂製である他、ゴム製であってもよく、その材料は特に制限されない。
【００２７】
ブラインドリベット５は、その一端に頭部５１ａを有するピン５１と、該ピン５１の嵌入によりその一端部が拡大し、他端部に鍔部５２ａを有する円筒体５２とを備える。この円筒体５２は、挿通孔４ａに挿通される筒部５２ｂと、スリット５２ｃ及び筒部５２ｂより大径の拡大部５２ｄとを有しており、スリット５２ｃにより拡大部５２ｄが可撓であり、ピン５１が円筒体５２に嵌入されることにより拡大部５２ｄが幅D1，D2よりも大きい寸法Ａとなるように構成されている。即ち、ピン５１が円筒体５２に挿入されていないとき、拡大部５２ｄの撓みは規制されていないため、拡大部５２ｄを撓ませつつ該拡大部５２ｄを長孔６に挿入することができ、この挿入状態でピン５１を円筒体５２に嵌入することにより、ピン５１が拡大部５２ｄを拡大させ、この拡大部５２ｄが幅D1，D2よりも大きい寸法Ａとなるように構成されている。
【００２８】
以上のように構成された電気機器Ａは、例えば脚体４の挿通孔４ａにブラインドリベット５が嵌入保持されている。ブラインドリベット５の保持は、円筒体５２を挿通孔４ａに挿通し、該円筒体５２にピン５１を嵌入することにより行うことができ、このピン５１の嵌入により拡大部が挿通孔４ａの直径よりも大きくなり、円筒体５２が挿通孔４ａから抜出るのを阻止することができ、ブラインドリベット５と脚体４とを一体化できる。この場合、ピン５１の頭部５１ａは脚体４の凹所４ｂに収容され、脚体４から下方へ突出しない。尚、ブラインドリベット５は脚体４に予め保持する他、予め保持することなく、脚体４の挿通孔４ａを貫通孔７と位置合わせした状態で挿通孔４ａ及び貫通孔７に円筒体５２を挿入し、この円筒体５２にピン５１を嵌入するようにしてもよい。
【００２９】
このようにブラインドリベット５が保持された脚体４を筺体３の被取着部３１に取着する場合、ブラインドリベット５の円筒体５２の拡大部５２ｄを貫通孔７にほぼ無抵抗で挿入することができ、この挿入状態で脚体４を長孔６方向へ押圧することにより、脚体４を傾斜面３１ａに沿ってスライドさせつつ円筒体５２の一部を連通孔８に挿入することができ、さらに円筒体５２の一部を連通孔８から長孔６に挿入することができ、脚体４を傾斜面３１ａに取着することができる。この取着状態では、脚体４の下端と筺体３の底面３ａとの間の距離がＨであり、また、ブラインドリベット５の円筒体５２の拡大部５２ｄがピン５１により拡がっており、脚体４の長孔６からの抜出しが阻止されているとともに、拡大部５２ｄの元部が長孔６に接触し、ブラインドリベット５に適度の接触抵抗が加えられているため、脚体４の取着状態を維持することができる。
【００３０】
以上のように脚体４が取着された電気機器Ａを載置台Ｂに載置した場合において、電気機器Ａがガタつくとき、四つの脚体４のいずれかを摘み、該脚体４を長孔６に沿って、換言すれば傾斜面３１ａに沿ってスライドさせることにより、該脚体４の下端と筺体３の底面３ａとの間の距離Ｈを調整することができ、電気機器Ａのガタつきをなくすることができる。即ち、脚体４が長孔６の長手方向中央部（連通孔８に臨む位置）で停止し、脚体４の下端と筺体３の底面３ａとの間の距離がＨである状態で脚体４を傾斜面３１ａに沿って図６(a) の矢印Ｘ方向へスライドさせることにより、脚体４の下端と筺体３の底面３ａとの間の距離がＨよりも長いH1となるように調整することができ、また、脚体４を傾斜面３１ａに沿って図６(b) の矢印Ｙ方向へスライドさせることにより、脚体４の下端と筺体３の底面３ａとの間の距離がＨよりも短いH2となるように調整することができ、電気機器Ａのガタつきをなくすることができる。
【００３１】
また、電気機器Ａがリサイクルのために解体されるとき、脚体４を長孔６に沿って、換言すれば傾斜面３１ａに沿ってスライドさせ、さらに、ブラインドリベット５を連通孔８に挿入し、該連通孔８に沿って脚体４をスライドさせ、ブラインドリベット５を貫通孔７に挿入することにより、ブラインドリベット５を貫通孔７からほぼ無抵抗で抜出すことができ、脚体４を容易に取外すことができる。従って、ブラインドリベット５により取着された脚体４の取外しを簡易にでき、電気機器Ａがリサイクルされる場合、電気機器Ａの解体作業性を向上できる。
【００３２】
実施の形態２
図７は電気機器の実施の形態２の構成を示す筺体の底面側の分解斜視図、図８は被取着部の構成を示す底面図である。この電気機器Ａは実施の形態１における貫通孔７及び連通孔８をなくし、傾斜面３１ａに長孔６を備え、該長孔６にブラインドリベット５を挿入して脚体４を位置調整可能に取着することができるように構成したものである。
【００３３】
実施の形態２において、ブラインドリベット５は、ピン５１が円筒体５２に挿入されていないとき、拡大部５２ｄを撓ませつつ該拡大部５２ｄを長孔６に挿入することができ、この挿入状態でピン５１を円筒体５２に嵌入することにより、ピン５１が拡大部５２ｄを拡大させ、この拡大部５２ｄが幅D1よりも大きい寸法Ａとなるように構成されている。
【００３４】
実施の形態２にあっては、脚体４の上面を傾斜面３１ａに接触させた状態でブラインドリベット５の円筒体５２の拡大部５２ｄを挿通孔４ａから長孔６に挿入し、円筒体５２にピン５１を嵌入することにより脚体４を取着することができる。即ち、ピン５１の嵌入により拡大部５２ｄが長孔６の幅D1よりも大きくなり、円筒体５２が長孔６から抜出るのを阻止することができ、また、拡大部５２ｄの元部が長孔６に接触し、ブラインドリベット５に適度の接触抵抗が加えられ、脚体４の取着状態を維持することができる。
【００３５】
以上のように脚体４が取着された電気機器Ａを載置台Ｂに載置した場合において、電気機器Ａがガタつくとき、四つの脚体４のいずれかを摘み、該脚体４を長孔６に沿って、換言すれば傾斜面３１ａに沿ってスライドさせることにより、該脚体４の下端と筺体３の底面３ａとの間の距離Ｈを調整することができ、電気機器Ａのガタつきをなくすることができる。
【００３６】
また、電気機器Ａがリサイクルのために解体されるとき、ピン５１を円筒体５２から抜出し、円筒体５２を傾斜面３１ａと離隔する方向へ引張ることにより該円筒体５２を長孔６及び挿通孔４ａから抜出すことができ、脚体４を取外すことができる。
その他の構成及び作用は実施の形態１と同様であるため、同様の部品については同じ符号を付し、その詳細な説明及び作用効果の説明を省略する。
【００３７】
尚、以上説明した実施の形態では、筺体３の底面３ａの四隅部に、底面３ａに対して筺体３の一側となる側が下方へ傾斜する傾斜面３１ａを有する被取着部３１を備える構成としたが、その他、例えば一方側で対向する二つの被取着部３１の傾斜面３１ａを、他方側で対向する二つの被取着部３１の傾斜面３１ａの傾斜方向と直交する方向へ傾斜する傾斜面３１ａとしてもよいのであり、傾斜面３１ａの傾斜方向は特に制限されない。また、被取着部３１の全てが傾斜面３１ａを有する構成とする他、被取着部３１の一つ又は二つが傾斜面３１ａを有する構成としてもよい。また、被取着部３１の配設箇所及び個数も特に制限されない。
【００３８】
また、以上説明した実施の形態では底面３ａに対して下方へ突出する被取着部３１を備える構成としたが、その他、被取着部３１は底面３ａに対して上方へ凹入する構成とし、この被取着部３１が底面３ａに対して上方へ傾斜する傾斜面３１ａを有する構成としてもよい。また、筺体３の構成は特に制限されない。
また、長孔６の周面には凹凸等の抵抗付加手段を設けて、円筒体５２の長孔６内でのスライド抵抗を増加させ、円筒体５２の位置がずれし難いようにしてもよい。
【図面の簡単な説明】
【００３９】
【図１】本発明に係る電気機器の構成を示す模式的正面図である。
【図２】本発明に係る電気機器の筺体の底面側の構成を示す分解斜視図である。
【図３】本発明に係る電気機器の被取着部の構成を示す底面図である。
【図４】本発明に係る電気機器の被取着部の構成を示す斜視図である。
【図５】図４のV −V 線の拡大断面図である。
【図６】(a) は図４のVI−VI線の拡大断面図、(b) ，(c) は脚体の下端と筺体の底面との間の距離を調整した状態を示す拡大断面図である。
【図７】本発明に係る電気機器の実施の形態２の構成を示す筺体の底面側の分解斜視図である。
【図８】本発明に係る電気機器の実施の形態２の被取着部の構成を示す底面図である。
【符号の説明】
【００４０】
Ａ    電気機器
１    給電部
２    電気部品
３    筺体
３ａ  底面
３１  被取着部
３１ａ  傾斜面
４    脚体
５    ブラインドリベット
６    長孔
７    貫通孔
８    連通孔
５１  ピン
５２  円筒体
【図１】
2006156490.tif 000003
【図２】
2006156490.tif 000004
【図３】
2006156490.tif 000005
【図４】
2006156490.tif 000006
【図５】
2006156490.tif 000007
【図６】
2006156490.tif 000008
【図７】
2006156490.tif 000009
【図８】
2006156490.tif 000010